(57)【要約】【課題】  作業通路に設置する仮設階段であって、１つの通路用階段を２つの傾斜角度に容易に対応させることができるようにして、資材の低減、コストの削減を可能にする作業通路用階段を提供する。【解決手段】  任意の傾斜角αの傾斜部に対応するα踏板と、任意の傾斜角βの傾斜部に対応するβ踏板とを備えた仮設用階段であって、傾斜角αでの使用状態で、そのまま水平に１８０°回転することにより傾斜角βに対応可能な階段になし得るようにした。２つの傾斜角に適用可能な階段は、平行する２本の側柱と、これら側柱間あって側柱の一端から他端に向って交互に固設された傾斜角αに対応するα用踏板及び傾斜角βに対応するβ用踏板と、側柱に立設された支持用ジャッキと、２つの傾斜角に適用可能な階段の両端部に取り付けられたオートロックフックとからなっている。【選択図】      図１
2005030154.tif 000002
【特許請求の範囲】
【請求項１】
任意の傾斜角αの傾斜部に対応するα踏板と、任意の傾斜角βの傾斜部に対応するβ踏板とを備えた仮設用階段であって、傾斜角αでの使用状態で、そのまま水平に１８０°回転することにより傾斜角βに対応可能な階段になし得るようにした２つの傾斜角に適用可能な階段。
【請求項２】
α＝４５°、β＝３０°とした請求項１記載の２つの傾斜角に適用可能な仮設階段。
【請求項３】
前記２つの傾斜角に適用可能な階段は、平行する２本の側柱と、これら側柱間あって側柱の一端から他端に向って交互に固設された傾斜角αに対応するα用踏板及び傾斜角βに対応するβ用踏板と、側柱に立設された支持用ジャッキと、２つの傾斜角に適用可能な階段の両端部に取り付けられたオートロックフックとからなる請求項１記載の２つの傾斜角に適用可能な仮設階段。
【請求項４】
前記オートロックフックは傾斜部の下部と上部に設けた１対の連結パイプ支持ピース間に跨設された連結パイプにロックすることによって傾斜部と平行に設置することを特徴とする請求項３記載の２つの傾斜角に適用可能な仮設階段。
【請求項５】
２つの傾斜角に適用可能な階段は連接可能であって、連接時には、中間連結位置にもう１本の連結パイプを介在させ、この連結パイプに下側階段の上端に設けたオートロックフックと上側階段の下端に設けたオートロックフックを引掛けることによって連結する請求項４記載の２つの傾斜角に適用可能な仮設階段。
【発明の詳細な説明】
【技術分野】
【０００１】
本発明は、任意の２つの傾斜角に適用可能な仮設階段（以下、単に「階段」という）に関するものである。特に作業現場等で傾斜部に仮設階段を設置する場合に、１つの階段を２つの傾斜角度に対応可能にして資材の低減、コストの削減を可能にする階段に関するものである。
【背景技術】
【０００２】
従来、例えば原子炉施設等における循環水配管の保守作業などに作業通路用階段を仮設するが、この場合、原子炉ごとに配管の傾斜角が異る場合には、各傾斜角に合わせて設計、製作する必要がある。そのため、異なる傾斜角度に合わせて専用の作業用通路階段を所有する必要があった。このため、保管エリアの拡大、安全性を維持するための検査、点検作業頻度および各作業エリアに運搬するための仕分け作業の増大等、コストへの影響が問題となっていた。
【０００３】
従来、設置場所の地面や床面等の起伏状態に影響されることなく踏み板を水平に調整でき、運搬、保管時に踏み板を折り畳んでコンパクトにでき、かつ積み重ねもしやすい仮設足場用階段は公知である（例えば、公知文献１参照。）。これは図９に示す如く、両端に係止金具ａを固着した一対の平行な傾斜支柱ｂ，ｂ間に複数の踏み板ｃの前端両側部を回動自在に取着けると共に、その後端両側部を傾斜支柱ｂと平行に配設した一対のリンク材ｄ間に回動自在に取付けている。そしてリンク材ｄには踏み板角度調節用の角度固定材ｅの一端を回動自在に取付ける一方、角度固定材ｅの他端は傾斜支柱ｂの側面に設けた長孔ｆに挿入した締結用ボルトｇで締結する。また、傾斜支柱ｂの長孔ｆ近傍にストッパーｈの一端をピンｉで回動自在に取付けると共に、他端を回動させて傾斜支柱ｂの顎部ｂ’に係止するとストッパーｉが長孔ｆと交差するようにして締結用ボルトｇの摺動を制限するよう構成されている。
しかしこのような階段は構造が極めて複雑であり、仮設足場用としては適さない。
【特許文献１】特開２００１−１１５６４２号公報
【発明の開示】
【発明が解決しようとする課題】
【０００４】
本発明は、作業通路に設置する仮設階段であって、１つの通路用階段を２つの傾斜角度に容易に対応させることができるようにして、資材の低減、コストの削減を可能にする作業通路用階段を提供することを課題とする。
【課題を解決するための手段】
【０００５】
（１）任意の傾斜角αの傾斜部に対応するα踏板と、任意の傾斜角βの傾斜部に対応するβ踏板とを備えた仮設用階段であって、傾斜角αでの使用状態で、そのまま水平に１８０°回転することにより傾斜角βに対応可能な階段になし得るようにした。
（２）上記（１）の階段において、α＝４５°、β＝３０°とした。
（３）前記２つの傾斜角に適用可能な階段は、平行する２本の側柱と、これら側柱間あって側柱の一端から他端に向って交互に固設された傾斜角αに対応するα用踏板及び傾斜角βに対応するβ用踏板と、側柱に立設された支持用ジャッキと、２つの傾斜角に適用可能な階段の両端部に取り付けられたオートロックフックとからなっている。
（４）前記オートロックフックは傾斜部の下部と上部に設けた１対の連結パイプ支持ピース間に跨設された連結パイプにロックすることによって傾斜部と平行に設置した。
（５）２つの傾斜角に適用可能な階段は連接可能であって、連接時には、中間連結位置にもう１本の連結パイプを介在させ、この連結パイプに下側階段の上端に設けたオートロックフックと上側階段の下端に設けたオートロックフックを引掛けることによって連結する。
【発明の効果】
【０００６】
本発明は、１つの通路用階段を水平方向に１８０°回すだけで任意の２つの傾斜角度αとβに容易に対応させることができるようにしたので、資材の低減、コストの大幅な削減を可能にすることが可能となった。
【０００７】
そしてこの仮設階段は、平行する２本の側柱と、これら側柱間あって側柱の一端から他端に向って交互に固設された傾斜角αに対応するα用踏板及び傾斜角βに対応するβ用踏板と、側柱に立設された支持用ジャッキと、２つの傾斜角に適用可能な階段の両端部に取り付けられたオートロックフックとからなっており、このオートロックフックを傾斜部の下部と上部に設けた１対の連結パイプ支持ピース間に跨設された連結パイプにロックすることによって設置できるので、その作業性においても極めて優れている。
【発明を実施するための最良の形態】
【０００８】
本発明は任意の傾斜角αの傾斜部に対応するα用踏板と、任意の傾斜角βの傾斜部に対応するβ用踏板とを備えた仮設用階段である。
【０００９】
そして傾斜角αを有する傾斜部での使用状態で、そのまま水平に１８０°回転して上下逆にすることにより傾斜角βに対応可能な階段に即時になし得るようにしたものである。
【００１０】
即ち、一つの階段で、角αの傾斜部に使用したときはα用踏板が水平ステップとなり、逆に踏板を上に向かせたままでこれを１８０°水平に回して上下逆にすると、今度はβ用踏板が水平ステップとなるようにしたもので、１つの階段で２つの傾斜部に使えるようにしたものである。
【００１１】
以下図を参照して原子炉施設等の配管内作業用として適用するものを例にとって説明する。図１の階段Ａは、傾斜角α＝４５°と傾斜角β＝３０°の２種の傾斜角用に対応できるものである。
【００１２】
図１・ａはユニットとなる階段Ａを上下に２つ連接し、傾斜角４５°の傾斜部１に適用したものである。図１・ｂは連接しない単独の階段ユニットＡである。図１・ｂに示す如く階段Ａは左右平行の側柱２，２と、これら側柱２，２間に組み込まれた４５°用踏板３ａと３０°用踏板３ｂとを有している。そして、図１・ａの例では、傾斜部１に上下２つの階段Ａ（図１・ｂ）が連結されている。配管等の傾斜部１の下端部には左右一対の連結パイプ支持ピース４，４が固設されている。同じく傾斜部１の上端部にも左右一対の連結パイプ支持ピース５，５が固設され、これらの連結パイプ支持ピース４，４と５，５間に跨って取付けた連結パイプ６に階段Ａはその上下端を支持される（図３）。連結パイプ支持ピース４及び５は図の例では傾斜部の上と下に溶接した溶接ピースで構成されている。上下の連結パイプ支持ピース４，４と５，５の中間位置では、複数の支持用ジャッキ７で支持されている。支持用ジャッキ７は傾斜部１上に置かれたゴム製パッド８上に据付けられる。なおこのパッド８はゴム製と限定するものではない。
【００１３】
さて階段Ａは図１・ｂに示す如く、２本の平行する側柱２，２に４５°用踏板３ａと３０°用踏板３ｂが図３に示す如く順次１０５°の角度をなして山型に結合され、４５°用踏板３ａが側柱２に対し１３５°、３０°用踏板３ｂが側柱２に対し１５０°の角度で溶接等で固定されている。
【００１４】
さらに左右一対の側柱２の下端にはオートロックフック９ａが端部材１０に左右対をなして取付けられている。又側柱２の上端にも端部材１１にオートロックフック９ｂが同様に左右対をなして取り付けられている。
【００１５】
オートロックフックは、たとえば足場パイプを接続するときに使用される公知のものを使用する（図８）。これは直交する相手パイプに対してフックを掛けることで、フックについたロック機構により、相手パイプと自動的に連結される。取り外すときは、着脱用のスイッチ（ボタン）を操作し、これを起すことでロック機構を解除し、取り外すことができるものである。なお図１・ａの如く２つの階段Ａを上下に連接する場合には、下側の階段Ａはその下側のオートロックフック９ａは連結パイプ支持ピース４，４に跨る連結パイプ６に引掛けられ、上側のオートロックフック９ｂは、中間部連結パイプ１２に引掛けられる。さらに上側の階段Ａはその下側のオートロックフック９ａを中間部連結パイプ１２にそして上側のオートロックフック９ｂを上側の連結パイプ６に引掛けて支持する。なお、中間部連結パイプ１２は、上下の連結パイプ６のように連結パイプ支持ピースに支持されていない。
【００１６】
図８でオートロックフック９ａ（又は９ｂ）を概略説明する。オートロックフック９ａには例えば連結パイプ６又は１２が入る環状凹部１６が設けられている。この環状凹部１６は片側が開放されている。環状凹部１６の上壁には、係止片１７がピン１８で回動可能に取り付けられている。
【００１７】
係止片１７は凹部１６内に連結管パイプ６又は１２が入ると、図８の状態にある係止片１７を押し上げ、係止片１７の反対側の凸部１７’が逆に張り出し、前記連結パイプ６又は１２を抱え込む構造となっている。
【００１８】
１９は鉤片で、ピン２０で回動可能に取り付けられており、前記係止片１７が図８の状態から押し上げられると、鉤片１９の先端鉤状部１９’を押し上げる。すると、鉤片１９の他端１９''が係止片１７の背部に設けたＬ状段部２１に当り、係止片１７の回動を妨げるので、環状凹部１６に入った連結パイプ６又は１２はこの環状凹部１６の開放部から外に脱出しないよう保持される。
【００１９】
支持用ジャッキ７はたとえばアルミ製で、その先端にはハンドルがついていて、このハンドルを回すことで、高さの調節が可能である。図４に示す如く、ジャッキ７は中間部にねじ部１３を有し、ハンドルを回すことによって、このねじ部１１が回転して伸縮する。ジャッキ７の下部はソケット１５に差し込んで保持する構成になっている。
【００２０】
図３で、符号１４はキャスタで、傾斜部に階段Ａを設置する場合、まずこのキャスタ１４を使って傾斜部の下より階段Ａを設置場所に移動させ、その後ジャッキ７の取付作業に移る。
【００２１】
（４５°階段の組立順序）
さて、４５°と３０°との共用階段を２個の階段Ａを使用して、４５°傾斜部１に下から組み上げる手順について説明する。
【００２２】
１）傾斜部１の下部に取り付けられた、左右一対の連結パイプ支持ピース４，４に連結パイプ６を落し込んで取り付ける（図３）。
２）次に中間部連結パイプ１２を階段Ａの上側のオートロックフック９ｂに連結し、４５°用踏板３ａが上にくるように階段Ａを持ち上げる。中間部連結パイプ１２にオートロックフック９ｂをロックして固定し、ジャッキ７にて適正な角度に調整する。
３）次にもう１つの階段Ａを４５°傾斜用踏板３ａが上にくるように持ち上げ、中間部連結パイプ１２にロックして固定する。
４）ジャッキ７にて適正角度に調整し、傾斜部上部の連結パイプ支持ピース５，５に取り付けた連結パイプ６にオートロックフック９ｂをロックし完成となる。
【００２３】
（３０°階段の組立順序）
つぎに、階段Ａを３０°階段として設置する場合について図５、図６で説明する。基本的な設置方法は同じであるが、階段Ａを連結パイプ６に取り付ける際に、３０°用踏板３ｂが上くるように図６・ｂの如く１８０°水平に矢印の如く回転して設置する。
【００２４】
したがって、４５°傾斜の場合には４５°用踏板３ａを上に、また３０°傾斜には３０°踏板３ｂを上にするよう設置することになる。
【図面の簡単な説明】
【００２５】
【図１】（ａ）は通路用階段を４５°用としてセットした状態、（ｂ）は通路用階段Ａをの単品平面図。
【図２】図１の上面図。
【図３】オートロックフックと連結パイプ及び溶接ピースと関係を示す図。
【図４】ジャッキの取付説明図。
【図５】３０°傾斜階段の側面図。
【図６】４５°から３０°階段への転換方法説明図。
【図７】階段の取付場所への移動方法を示す。
【図８】オートロックフックを示す。
【図９】公知技術の説明図。
【符号の説明】
【００２６】
Ａ  ２つの傾斜角に適用可能な階段
１  傾斜部                      ２  側柱
3a  ４５°用踏板                3b  ３０°用踏板
４  階段支持ピース              ５  階段支持ピース
６  連結パイプ                  ７  ジャッキ
８  パッド                      9a,9b    オートロックフック
10  オートロックフック          11  ねじ部
12  中間部連結パイプ            13  ねじ部
14  キャスタ                    15  ソケット
16  環状凹部                    17  係止片
17'  凸部                       18  ピン
19  鉤片                        19'  先端鉤状部
19''  （鉤片１９の）他端        20  ピン
21  Ｌ状段部
【図１】
2005030154.tif 000003
【図２】
2005030154.tif 000004
【図３】
2005030154.tif 000005
【図４】
2005030154.tif 000006
【図５】
2005030154.tif 000007
【図６】
2005030154.tif 000008
【図７】
2005030154.tif 000009
【図８】
2005030154.tif 000010
【図９】
2005030154.tif 000011